(57)【特許請求の範囲】
【請求項１】
エアシリンダよりなるクッションシリンダ（３）により上方へ付勢されたダイクッションパッド（２ａ）と、上記ダイクッションパッド（２ａ）のクッションストロークを調整するクッションストローク調整手段（７）とを有するプレスダイクッションにおいて、上記クッションストローク調整手段（７）の上下調整自在なストローク調整スリーブ（７ｂ）と、ダイクッションパッド（２ａ）の上限を規定するストッパ（７ｃ）の間に、ロック部材（１６）を挿脱自在に挿入することにより、ダイクッションパッド（２ａ）の上昇をロックすることを特徴とするプレスダイクッション装置のロック装置。
【請求項２】
ロック部材（１６）をストローク調整スリーブ（７ｂ）の下端に挿脱自在に取付けてなる請求項１記載のプレスダイクッション装置のロック装置。
【請求項３】
ロック部材（１６）をほぼＵ字形に形成して、ストローク調整スリーブ（７ｂ）の上下動をガイドする昇降杆（７ａ）に嵌合できるようにしてなる請求項１記載のプレスダイクッション装置のロック装置。
【請求項４】
ストローク調整スリーブ（７ｂ）の上下動をガイドする昇降杆（７ａ）を挟んで対向するよう複数のロック部材（１６）を進退自在に設けてなる請求項１記載のプレスダイクッション装置のロック装置。
【請求項５】
入力手段より金型（６）に応じたクッションストロークを入力することにより、ストローク調整スリーブ（７ｂ）が上下調整されるようにしてなる請求項１記載のプレスダイクッション装置のロック装置。
【請求項６】
ダイクッションパッド（２ａ）に、クッションストロークを検出するストローク検出手段（１１）を設けてなる請求項１記載のプレスダイクッション装置のロック装置。
【請求項７】
エアシリンダよりなるクッションシリンダ（３）により上方へ付勢されたダイクッションパッド（２ａ）と、上記ダイクッションパッド（２ａ）のクッションストロークを調整するクッションストローク調整手段（７）とを有するプレスダイクッション装置において、上記プレスダイクッション装置の設けられたプレス内に作業者が入って作業する際、上記クッションストローク調整手段（７）の上下動自在なストローク調整スリーブ（７ｂ）と、ダイクッションパッド（２ａ）の上限を規定するストッパ（７ｃ）の間にロック部材（１６）を介在させて、ダイクッションパッド（２ａ）の上昇をロックすることを特徴とするプレスダイクッション装置のロック方法。
【発明の詳細な説明】
【０００１】
【発明の属する技術分野】
この発明は主としてトランスファプレスに装備されたダイクッション装置のロック装置及びロック方法に関する。
【０００２】
【従来の技術】
従来複数の加工ステーションを有し、かつトランスファフィーダにより各加工ステーションにより各加工ステーションへワークを順次搬送してワークの成形を行うトランスファプレスにおいては、例えば第１加工ステーションにダイクッションを設置して、第１加工ステーションでワークの絞り成形などを行うようにしたものがある。
【０００３】
このようなトランスファプレスでは、金型交換時に作業者がプレス内に入ってトランスファフィーダの調整作業を行うことがよくある。
またプレス作業中にも、ミスフィードなどが発生すると、プレスを一時停止して作業者がプレス内に入り、ミスフィードの発生したワークをプレス外へ取り出すなどの作業を行うことがあり、このような作業はダイクッションパッドが下限位置にロッキングされているときに行うことが多い。
【０００４】
一方プレスのダイクッション装置は、エアシリンダよりなるクッションシリンダによりダイクッションパッドが常時上方へ付勢されており、ダイクッションパッドの下限位置では、ダイクッションパッドにもっとも大きな付勢力が作用している。
このため、ダイクッションパッドが下限位置にロッキングされている状態で作業者がプレス内へ入る場合、ダイクッションパッドが不用意に上昇すると、プレス内の作業者に危険が及ぶため、従来ではクッションシリンダ内のエアを抜いて、付勢力を除去してからプレス内に作業者が入るようにしている。
【０００５】
【発明が解決しようとする課題】
しかし大容量のクッションシリンダ内のエアを放出し、また作業終了後再びエアを注入するのに多くの時間を必要とし、この間プレスの稼動を停止しなければならないため、生産性が低下すると共に、多量のエアを放出するため、エネルギーの損失も大きいなどの不具合があった。
【０００６】
この発明はかかる従来の不具合を改善するためになされたもので、クッションシリンダ内のエアを放出せずにダイクッションパッドの上昇を確実に防止できるダイクッションパッドのロック装置及びロック方法を提供して、作業員の安全を図ると同時に、生産性の向上及び省エネルギー化を図ることを目的とするものである。
【００１０】
【課題を解決するための手段及び作用効果】
上記目的を達成するため請求項１記載の発明は、エアシリンダよりなるクッションシリンダにより上方へ付勢されたダイクッションパッドと、上記ダイクッションパッドのクッションストロークを調整するクッションストローク調整手段とを有するプレスダイクッション装置において、上記クッションストローク調整手段の上下調整自在なストローク調整スリーブと、ダイクッションパッドの上限を規定するストッパの間に、ロック部材を挿脱自在に挿入することにより、ダイクッションパッドの上昇をロックするようにしたものである。
【００１１】
上記構成により、作業者がプレス内へ入って作業する際、予めクッションストローク調整手段のストローク調整スリーブとストッパの間にロック部材を挿入することにより、ダイクッションパッドの上昇が機械的にロックされるため、作業中何かの理由でダイクッションパッドのロッキングが解除されても、ダイクッションパッドが不用意に上昇することがなく、これによって作業者の安全が図れるようになる。
【００１２】
また作業者がプレス内に入る毎にクッションシリンダ内のエアを放出する必要がないため、プレス内の作業を短時間で終了することができ、これによって生産性が上がると共に、エアを無駄に消費することがないので、省エネルギー化が図れるようになる。
【００１３】
上記目的を達成するため請求項２記載の発明は、ロック部材をストローク調整スリーブの下端に挿脱自在に取付けたものである。
【００１４】
上記構成により、使用する金型に応じてクッションストロークを調整すべく、ストローク調整スリーブを上下動しても、ストローク調整スリーブとともにロック部材も上下動するため、クッションストロークを調整しても、ロック部材をストローク調整スリーブとストッパの間に確実に挿入することができる。
【００１５】
上記目的を達成するため請求項３記載の発明は、ロック部材をほぼＵ字形に形成して、ストローク調整スリーブの上下動をガイドする昇降杆に嵌合できるようにしたものである。
【００１６】
上記構成により、昇降杆にロック部材を嵌合させた状態でダイクッションパッドの上昇をロックすることができるため、ロック中にロック部材が外れる心配がないと共に、単一のロック部材でロックすることができるため、構造が簡単でかつ安価に提供することができる。
【００１７】
上記目的を達成するため請求項４記載の発明は、ストローク調整スリーブの上下動をガイドする昇降杆を挟んで対向するよう複数のロック部材を進退自在に設けたものである。
【００１８】
上記構成により、昇降杆を両側より挟入した状態でダイクッションパッドの上昇をロックすることができるため、ロック中にロック部材が外れる心配がないと共に、ロック部材を進退させてロック及び解除を行うため、ロック部材を回動させるものに比べて狭いスペースに設置することが可能となる。
【００１９】
上記目的を達成するため請求項５記載の発明は、入力手段より金型に応じたストロークを入力することにより、ストローク調整スリーブが上下調整されるようにしたものである。
【００２０】
上記構成により、金型交換毎のクッションストロークの調整が短時間で容易に行えるようになる。
【００２１】
上記目的を達成するため請求項６記載の発明は、ダイクッションパッドに、クッションストロークを検出するストローク検出手段を設けたものである。
【００２２】
上記構成により、ダイクッションパッドのクッションストロークをストローク検出手段で検出して入力手段へフィードバックするようにすれば、クッションストロークの設定が正確かつ自動的に行えるようになる。
【００２３】
上記目的を達成するため請求項７記載の発明は、エアシリンダよりなるクッションシリンダにより上方へ付勢されたダイクッションパッドと、上記ダイクッションパッドのクッションストロークを調整するクッションストローク調整手段とを有するプレスダイクッション装置において、上記プレスダイクッション装置の設けられたプレス内に作業者が入って作業する際、上記クッションストローク調整手段の上下動自在なストローク調整スリーブと、ダイクッションパッドの上限を規定するストッパの間にロック部材を介在させて、ダイクッションパッドの上昇をロックするようにしたものである。
【００２４】
上記方法により、作業者がプレス内へ入って作業する際、ダイクッションパッドの下限ないしその近傍にて、予めクッションストローク調整手段のストローク調整スリーブとストッパの間にロック部材を挿入することにより、ダイクッションパッドの上昇が機械的にロックされるため、作業中何かの理由でダイクッションパッドのロッキングが解除されても、ダイクッションパッドが不用意に上昇することがなく、これによって作業者の安全が図れるようになる。
【００２５】
また作業者がプレス内に入る毎にクッションシリンダ内のエアを放出する必要がないため、プレス内の作業を短時間で終了することができ、これによって生産性が上がると共に、エアを無駄に消費することがないので、省エネルギー化が図れるようになる。
【００２６】
【発明の実施の形態】
この発明の実施の形態を図面を参照して詳述する。
図１はプレスに設置されたプレスダイクッション装置のロック装置を示す縦断面図、図２はロック装置の横断面図、図３は図２のＡ−Ａ線に沿う断面図、図４はロック装置の作用説明図である。
【００２７】
図１において１はプレス、２はプレス１のベッド１ａ内に設置されたダイクッション装置で、エアシリンダよりなるクッションシリンダ３を有しており、このクッションシリンダ３によりダイクッションパッド２ａが常時上方へ付勢されている。
上記ダイクッションパッド２ａの上面には、ベッド１ａ上に載置されたボルスタ４内を貫通するように設けられた複数のクッションピン５の下端が当接されていると共に、これらクッションピン５の上端はボルスタ４上の金型６に下方より当接されている。
【００２８】
また上記ダイクッションパッド２ａには、金型６に応じてクッションストロークを調整するクッションストローク調整手段７が１個所ないし複数個所（実施の形態では２個所）設置されている。
上記クッションストローク調整手段７は、図３に示すように上端がダイクッションパッド２ａに固着された昇降杆７ａを有しており、昇降杆７ａの下端側はストローク調整スリーブ７ｂ内を貫通して、ストローク調整スリーブ７ｂの下方へ突出され、下端部にストッパ７ｃが固着されている。
【００２９】
上記ストローク調整スリーブ７ｂは、ベッド１ａ側に固着された固定スリーブ７ｄ内に回転及び上下摺動自在に収容されていて、固定スリーブ７ｄとストローク調整スリーブ７ｂはねじ部７ｅにより互いに螺合されており、ストローク調整スリーブ７ｄの下端側外周部にはウォームホィール７ｆの内周面がスプライン７ｇにより摺動自在に係合されている。
上記ウォームホィール７ｆにはウォーム７ｈが噛合されており、各クッションストローク調整手段７に設けられたウォーム７ｈは、図２に示すように連動手段８により互いに連動されている。
【００３０】
上記連動手段８は各ウォーム７ｈに接続された連動軸８ａと、中間軸８ｂ及び連動軸８ａと中間軸８ｂを連動するギヤボクックス８ｃなどより構成されていると共に、ウォーム７ｈの一方にはベッド１ａに取付けられた電動機よりなる回転駆動源１０が接続されていて、この回転駆動源１０により各ウォーム７ｈを同時に正逆回転させて上記ストローク調整スリーブ７ｂを上下調整することにより、クッションストロークＳが任意に調整できるようになっている。
なお図１中１１はダイクッションパッド２ａのストロークを検出するストローク検出手段を示す。
【００３１】
一方上記ストローク調整手段７の近傍に、この発明のダイクッション装置のロック装置が設置されている。
上記ダイクッション装置のロック装置は、クッションストローク調整手段７のストローク調整スリーブ７ｂの下端に、ピン１３により基端側が回動自在に枢着され、かつ基端部とストローク調整スリーブ７ｂの間に設けられた油圧シリンダなどのロックシリンダ１４により、ピン１３を中心に先端側が昇降杆７ａの接離方向へ回動自在な回動レバー１５を有しており、この回動レバー１５の先端にほぼＵ字形に形成されたロック部材１６が固着されている。
【００３２】
上記ロック部材１６は、上記ピン１３を中心に回動レバー１５を昇降杆７ａ側へ回動させたときに、ロック部材１６のＵ字溝１６ａ内に昇降杆７ａが嵌合できるようになっており、このときロック部材１６の上面がストローク調整スリーブ７ｂの下端面に当接すると共に、ロック部材１６の下端面に昇降杆７ａの下端に固着されたストッパ７ｃを当接させることにより、ダイクッションパッド２ａの上昇をロックするようになっている。
【００３３】
次に上記構成されたダイクッション装置のロック装置の作用を図４も参照して説明する。
複数の加工ステーションを有するトランスファプレスにおいては、金型交換時、金型６に合わせてダイクッションパッド２ａのクッションストロークを調整すると同時に、トランスファフィーダ成形の完了したワークを次の加工ステーションへミスフィードを生じることなく搬送できるようバキュームカップやフィンガなどのワーク保持手段（図示せず）を調整する。
【００３４】
クッションストロークの調整は、金型６に応じたクッションストロークＳを予め操作盤などの入力手段より入力すると、回転駆動源によりウォーム７ｇ及びウォームホィール７ｆを介してストローク調整スリーブ７ｂが回転され、これによって固定スリーブ７ｄに螺合されたストローク調整スリーブ７ｂが昇降杆７ａに沿って上下動される。なお図４の（イ）においてＳ１は仕様最大ストローク、Ｓｄは金型６により異なるダイクッション下限位置を示す。また図４の（ロ）においてＳ１はロック部材１６の高さ＋αを示し、αは適当な隙間である。
【００３５】
このときダイクッションパッド２ａはクッションシリンダ３の付勢力により上昇位置にあって、昇降杆７ａ下端のストッパ７ｃがストローク調整スリーブ７ｂの下端に当接されているため、ストローク調整スリーブ７ｂの回転に伴いダイクッションパッド２ａが上下動されると共に、ダイクッションパッド２ａの上下ストロークは、ストローク検出手段１１により検出されて入力手段へ送られるため、入力手段より入力されたストロークに達したところで回転駆動源１０が停止されて、ストロークの調整が終了する。
【００３６】
一方金型交換後のトランスファフィーダの調整や、プレス作業中に発生したミスフィードにより作業者がプレス内に入ってミスフィードの発生したワークをプレス１外へ取出すなどの作業を行う場合、ダイクッションパッド２ａは、図示しないロッキング手段により下限位置にロッキングされていることが多い。
この状態で作業者がプレス１内に入ると、何かの理由でロッキング手段のロッキングが解除された場合、ダイクッションパッド２ａがクッションシリンダ３の付勢力で不用意に上昇して作業者に危険が及ぶ。
【００３７】
これを防止するため、入力手段によりダイクッションパッド２ａをロックするように指示する。
これによってロックシリンダ１４に油圧が供給されて、回動レバー１５がピン１３を中心に昇降杆７ａ側へ回動され、回動レバー１５の先端に設けられたロック部材１６が図３に示すようにストローク調整スリーブ７ｂとストッパ７ｃの間に介在されるため、プレス１内に作業者が入って作業中にダイクッションパッド２ａのロッキングが解除されても、ストッパ７ｃがロック部材１６の下端面に当接されて、昇降杆７ａの上昇を機械的に阻止するため、ダイクッションパッド２ａが不用意に上昇するのを確実に防止できるようになる。
【００３８】
また金型６に応じてダイクッションストロークＳを図４の（ロ）に示すようＳ１に変更しても、ロック部材１６はストローク調整スリーブ７ｂの下端に取付けられていて、ストローク調整スリーブ７ｂとともに上下動するため、ストローク調整スリーブ７ｂとストッパ７ｃの間にロック部材１６が挿入できなくなることはない。
【００３９】
なお上記実施の形態では、ほぼＵ字形のロック部材１６を使用したが、図５に示すように昇降杆７ａを挟んで対向するように一対のロック部材１６ｂを設けて、これらロック部材１６ｂをロックシリンダ１４により進退動させることにより、ストローク調整スリーブ７ｂとストッパ７ｃの間に介在させるようにしてもよい。
【００４０】
また上記実施の形態では、トランスファプレスに設置されたダイクッション装置にロック装置を設けた実施の形態について説明したが、ダイクッション装置を有するプレスであれば、特にトランスファプレスに限定されないことは勿論である。
【図面の簡単な説明】
【図１】この発明の実施の形態になるプレスダイクッション装置のロック装置を示す縦断面図である。
【図２】この発明の実施の形態になるプレスダイクッション装置のロック装置を示す横断面図である。
【図３】図２のＡ−Ａ線に沿う断面図である。
【図４】（イ）及び（ロ）はこの発明の実施の形態になるプレスダイクッション装置のロック装置の作用説明図である。
【図５】この発明の他の実施の形態になるプレスダイクッション装置のロック装置を示す横断面図である。
【符号の説明】
２ａ…ダイクッションパッド
３…クッションシリンダ
６…金型
７…クッションストローク調整手段
７ａ…昇降杆
７ｂ…ストローク調整スリーブ
７ｃ…ストッパ
１１…ストローク検出手段
１６…ロック部材
【図１】
0003982598.tif 000002
【図２】
0003982598.tif 000003
【図３】
0003982598.tif 000004
【図４】
0003982598.tif 000005
【図５】
0003982598.tif 000006